(57)【要約】【課題】車両騒音に対する、ディープラーニングに基づく人工知能を用いた問題騒音の発生源診断技術であって、問題騒音の発音源を識別するための騒音データの人工知能装置および前処理方法を提供する。【解決手段】時間によってサンプリングした騒音のうち問題騒音に対して単位フレームを選定するステップと、前記単位フレームをＮ個のセグメントに分割するステップと、セグメント毎に周波数特性を分析し、ログメルフィルタを適用して周波数成分を抽出するステップと、セグメントに関する情報を平均し、１個の代表フレームとして特徴ベクトル（特徴パラメータ）を出力するステップと、を含む問題騒音の発音源を識別するための騒音データの前処理方法を含み、前処理方法により時間の変化に従って抽出された特徴パラメータによる人工知能学習に双方向ＲＮＮを適用する、問題騒音の発音源を識別するための騒音データ人工知能学習方法を提供する。【選択図】図１
2020095258.tif 000002
【特許請求の範囲】
【請求項１】
時間によってサンプリングした騒音のうち問題騒音に対して単位フレームを選定するステップと、
前記単位フレームをＮ個のセグメントに分割するステップと、
前記セグメント毎に周波数特性を分析し、ログメルフィルタ（Ｌｏｇ  Ｍｅｌ  Ｆｉｌｔｅｒ）を適用して前記周波数成分を抽出するステップと、
前記セグメントに関する情報を平均し、１個の代表フレームとして特徴ベクトル（特徴パラメータ）を出力するステップと、を含む、問題騒音の発音源を識別するための騒音データの前処理方法を含み、
前記前処理方法により前記時間の変化に従って抽出された特徴パラメータによる人工知能学習に、双方向ＲＮＮ（Ｂｉｄｉｒｅｃｔｉｏｎａｌ  ＲＮＮ）を適用することを特徴とする、問題騒音の発音源を識別するための騒音データ人工知能学習方法。
【請求項２】
前記サンプリングは、問題周波数帯域の２倍の範囲でサンプリングすることを特徴とする、請求項１に記載の問題騒音の発音源を識別するための騒音データ人工知能学習方法。
【請求項３】
前記時間による単位フレームと、次の時間の単位フレームとの間には、オーバーラップを設定することを特徴とする、請求項１に記載の問題騒音の発音源を識別するための騒音データ人工知能学習方法。
【請求項４】
前記人工知能学習にＤＮＮ（Ｄｅｅｐ  Ｎｅｕｒａｌ  Ｎｅｔｗｏｒｋ）をさらに適用することを特徴とする、請求項１に記載の問題騒音の発音源を識別するための騒音データ人工知能学習方法。
【請求項５】
前記人工知能学習にアテンションメカニズム（Ａｔｔｅｎｔｉｏｎ  Ｍｅｃｈａｎｉｓｍ）をさらに適用することを特徴とする、請求項４に記載の問題騒音の発音源を識別するための騒音データ人工知能学習方法。
【請求項６】
前記人工知能学習にアーリーステージアンサンブル（Ｅａｒｌｙ  ｓｔａｇｅ  ｅｎｓｅｍｂｌｅ）アルゴリズムをさらに適用することを特徴とする、請求項５に記載の問題騒音の発音源を識別するための騒音データ人工知能学習方法。
【請求項７】
前記問題騒音学習データの時間軸が一定に収集される場合、
正確度を向上するために、時間‐周波数マップとエンジン回転数‐周波数マップの両方を用いるＥｎｓｅｍｂｌｅ  ｍｏｄｅｌ  ｏｆ  ｊｏｉｎｔｌｙ  ｔｒａｉｎｅｄ  ＲＮＮｓアルゴリズムをさらに適用することを特徴とする、請求項６に記載の問題騒音の発音源を識別するための騒音データ人工知能学習方法。
【請求項８】
請求項７に記載の問題騒音の発音源を識別するための騒音データ人工知能学習方法が実現された装置であって、
前記装置の入力手段で車両またはパワートレインの騒音を直接測定するか、格納されている騒音データを格納媒体を用いて提供することを特徴とする、問題騒音の発音源を識別するための騒音データ人工知能学習装置。
【発明の詳細な説明】
【技術分野】
【０００１】
本発明は、車両騒音、特にパワートレイン騒音のような非定型的な騒音に対する、ディープラーニング（Ｄｅｅｐ  Ｌｅａｒｎｉｎｇ）に基づく人工知能を用いた問題騒音の発生源診断技術であって、問題騒音の発音源を識別するための騒音データの人工知能装置および前処理方法に関する。
【背景技術】
【０００２】
車両は、数多くの部品が組み立てられてなる完成体である。
【０００３】
特に、車両の動力系は、固有の騒音および振動特性を有している。
【０００４】
しかし、数多くの部品の組み合わせにより発生する騒音情報は非常に膨大である。
【０００５】
騒音は、正常な場合の動作騒音と、異常な場合に現われる問題騒音とが異なって現われる。
【０００６】
問題騒音が発生すると、車両は異常状態に置かれる場合が多い。
【０００７】
しかしながら、非常に複雑な構造を有している車両が発生させる問題騒音情報のみで、車両のどの部位の故障であるかを判断することは非常に難しい。
【０００８】
例えば、車両のパワートレインは、問題騒音が発生した箇所を検出することが非常に難しい。
【０００９】
その理由は、かかる車両の問題騒音は、非定型的に発生するためである。
【００１０】
そのため、従来は、騒音の専門家らが聴音テストにより診断し、過去の経験に頼って問題騒音源を探していた。
【００１１】
この際、複数の騒音の専門家らがセンサやその他の試験条件を用いるとしても、長時間がかかっていた。
【００１２】
それにもかかわらず、問題騒音源を完全に診断することは非常に難しいことであった。
【００１３】
近年、騒音データを用いて問題騒音源を探そうとする努力が行われてきたが、適切な解決方法がない状況である。
【先行技術文献】
【特許文献】
【００１４】
【特許文献１】ＫＲ２０１８‐００２９３２０Ａ１
【特許文献２】ＪＰ２０１３‐２００１４３Ａ１
【特許文献３】ＵＳ２０１６‐００７１３３６Ａ１
【発明の概要】
【発明が解決しようとする課題】
【００１５】
本発明は、人工知能技法を用いて、騒音データが類型毎に蓄積された騒音ビックデータの資産価値を極大化する、問題騒音の発音源を識別するための騒音データの人工知能装置および前処理方法を提供することをその目的とする。
【課題を解決するための手段】
【００１６】
時間によってサンプリングした騒音のうち問題騒音に対して単位フレームを選定するステップと、前記単位フレームをＮ個のセグメントに分割するステップと、前記セグメント毎に周波数特性を分析し、ログメルフィルタ（Ｌｏｇ  Ｍｅｌ  Ｆｉｌｔｅｒ）を適用して前記周波数成分を抽出するステップと、前記セグメントに関する情報を平均し、１個の代表フレームとして特徴ベクトル（特徴パラメータ）を出力するステップと、を含む、問題騒音の発音源を識別するための騒音データの前処理方法を含み、前記前処理方法により前記時間の変化によって抽出された特徴パラメータを用いた人工知能学習に、双方向ＲＮＮ（Ｂｉｄｉｒｅｃｔｉｏｎａｌ  ＲＮＮ）を適用することを特徴とする、問題騒音の発音源を識別するための騒音データ人工知能学習方法を提供する。
【００１７】
また、前記サンプリングは、問題周波数帯域の２倍の範囲でサンプリングすることを特徴とする、問題騒音の発音源を識別するための騒音データ人工知能学習方法を提供する。
【００１８】
また、前記時間による単位フレームと、次の時間の単位フレームとの間には、オーバーラップを設定することを特徴とする、問題騒音の発音源を識別するための騒音データ人工知能学習方法を提供する。
【００１９】
また、前記人工知能学習にＤＮＮ（Ｄｅｅｐ  Ｎｅｕｒａｌ  Ｎｅｔｗｏｒｋ）をさらに適用することを特徴とする、問題騒音の発音源を識別するための騒音データ人工知能学習方法を提供する。
【００２０】
また、前記人工知能学習にアテンションメカニズム（Ａｔｔｅｎｔｉｏｎ  Ｍｅｃｈａｎｉｓｍ）をさらに適用することを特徴とする、問題騒音の発音源を識別するための騒音データ人工知能学習方法を提供する。
【００２１】
また、前記人工知能学習にアーリーステージアンサンブル（Ｅａｒｌｙ  ｓｔａｇｅ  ｅｎｓｅｍｂｌｅ）アルゴリズムをさらに適用することを特徴とする、問題騒音の発音源を識別するための騒音データ人工知能学習方法を提供する。
【００２２】
また、前記問題騒音学習データの時間軸が一定に収集される場合、正確度を向上するために、時間‐周波数マップとエンジン回転数‐周波数マップの両方を用いるＥｎｓｅｍｂｌｅ  ｍｏｄｅｌ  ｏｆ  ｊｏｉｎｔｌｙ  ｔｒａｉｎｅｄ  ＲＮＮｓアルゴリズムをさらに適用することを特徴とする、問題騒音の発音源を識別するための騒音データ人工知能学習方法を提供する。
【００２３】
また、問題騒音の発音源を識別するための騒音データ人工知能学習方法が実現された装置であって、前記装置の入力手段で車両またはパワートレインの騒音を直接測定するか、格納されている騒音データを格納媒体を用いて提供することを特徴とする、問題騒音の発音源を識別するための騒音データ人工知能学習装置を提供する。
【発明の効果】
【００２４】
第一に、パワートレインの複雑な騒音源が混在している点を考慮し、１〜ｎ順位まで確率的な方法により入力される騒音源に対して診断結果を出力することができる多重診断システム概念を適用しているため、低い特性を示す問題騒音の発音源も診断することができる。
【００２５】
第二に、パワートレイン問題騒音のビックデータに基づいて学習されたモデルを生成することで、複合的、且つ非定型的なパワートレイン騒音または車両騒音の高精度の診断が確率的に可能となる。
【００２６】
第三に、非常に短い時間で、問題騒音の発音源を正確に診断することができる。
【００２７】
第四に、ＧＲＵ、ＤＮＮ、アテンションメカニズム、およびアーリーステージアンサンブルアルゴリズムを用いるため、過去時間のデータが消失することが防止される。
【００２８】
第五に、アテンションメカニズムの適用により学習データの重要部分の加重値をさらに与えることで、非定型的な騒音に対する正確な学習モデルの樹立が可能となる。
【００２９】
第六に、人（専門エンジニア）のデータ分析および判断に要する手間を効率的に改善することができる。
【図面の簡単な説明】
【００３０】
【図１】本発明の好ましい実施形態による全体フローチャートである。
【図２】本発明の好ましい実施形態による類型毎の騒音データの前処理ステップを示す。
【図３】本発明の好ましい実施形態による人工知能学習モデルに任意の騒音データを入力して診断する過程を示す。
【図４】本発明の好ましい実施形態による人工知能学習に用いられる時間‐周波数マップに関する図である。
【図５】本発明の好ましい実施形態によるエンジン回転数‐周波数マップに関する図である。
【発明を行うための形態】
【００３１】
本発明は様々な変更を加えることができ、種々の実施形態を有することができるものであり、特定の実施形態を図に例示して詳細な説明で具体的に説明する。しかし、これは本発明を特定の実施形態に限定するためのものではなく、本発明の思想および技術範囲に含まれる全ての変更、均等物乃至代替物を含むと理解されるべきである。
【００３２】
各図を説明するにあたり、類似の参照符号を類似の構成要素に用いる。
【００３３】
第１、第２などの用語は、様々な構成要素を説明するために用いることができるが、前記構成要素は、前記用語によって限定されてはならない。前記用語は、１つの構成要素を他の構成要素から区別する目的でのみ用いられる。
【００３４】
例えば、本発明の権利範囲を逸脱することなく第１構成要素は第２構成要素と命名することができ、同様に、第２構成要素も第１構成要素と命名することができる。「および／または」という用語は、記載された複数の関連項目の組み合わせまたは記載された複数の関連項目の何れかの項目を含む。
【００３５】
他に定義されない限り、技術的または科学的な用語を含んでここで用いられる全ての用語は、本発明が属する技術分野において通常の知識を有する者によって一般に理解されるものと同一の意味を有する。
【００３６】
一般に用いられる辞典に定義されているような用語は、関連技術の文脈上有する意味と一致する意味を有すると解釈されるべきであり、本出願で明白に定義しない限り、理想的または過度に形式的な意味で解釈されてはならない。
【００３７】
本発明の問題騒音の発音源を識別するための騒音データの前処理方法を説明する。
【００３８】
任意の騒音は、診断のために必要な問題騒音の類型および発音源の情報が分からない騒音である。
【００３９】
後述するが、本発明では、任意の騒音とともに、測定されたエンジンＲＰＭ情報を用いることができる。
【００４０】
一方、必要に応じて、エンジンＲＰＭ情報なしに、任意の騒音を入力として用いて診断可能である。
【００４１】
図１は本発明の好ましい実施形態による全体フローチャートである。この場合、全体のフローチャートを図２の騒音データ前処理器１００−１を参照して説明すれば、下記の通りである。
【００４２】
先ず、 騒音データ前処理器１００−１の騒音データ入力部（１１０）を介して, 任意の騒音が入力される（Ｓ１）。
【００４３】
騒音データ学習部（１００）を介して, 時間によってサンプリングした騒音のうち問題騒音に対して、単位フレームを選定する（Ｓ２）。
【００４４】
セグメント分割部（2００）を介して, 単位フレームをＮ個のセグメントに分割する（Ｓ３）。
【００４５】
この際、時間によるサンプリングは、問題周波数帯域の２倍の範囲でサンプリングすることが好ましい。
【００４６】
このようなサンプリング作業を、本発明では騒音ビックデータの前処理（Ｐｒｅ‐ｃｏｎｄｉｔｉｏｎｉｎｇ）という。
【００４７】
ビックデータの前処理（Ｐｒｅ‐ｃｏｎｄｉｔｉｏｎｉｎｇ）は、パワートレインの特性を考慮した診断学習に必要であり、パワートレイン騒音の特性分析において重要である。
【００４８】
騒音ビックデータの前処理（Ｐｒｅ‐ｃｏｎｄｉｔｉｏｎｉｎｇ）は、高正確度の学習の特徴パラメータの抽出のために学習に用いられる。
【００４９】
騒音ビックデータの前処理（Ｐｒｅ‐ｃｏｎｄｉｔｉｏｎｉｎｇ）に用いられる技法としては、診断しようとする騒音周波数の２倍数であるＦｒｅｑｕｅｎｃｙ  ｓａｍｐｌｉｎｇによりサンプリング（ｒｅ‐ｓａｍｐｌｉｎｇ）することが好ましい。
【００５０】
また、時間による単位フレームと、次の時間の単位フレームとの間には、オーバーラップを設定することが好ましい。
【００５１】
オーバーラップは単位フレームの間にも存在することができる。
【００５２】
オーバーラップは、１個の単位フレームをＮ個のセグメントに分割する場合にも存在することができる。
【００５３】
オーバーラップは、データの損失を防止することをその目的とする。
【００５４】
セグメント分析部(３００)と、平均処理部(４００)を介して, セグメント毎に周波数特性を分析し、ログメルフィルタを適用して周波数成分を抽出する（Ｓ４）。
【００５５】
ログメルフィルタは、低周波成分と高周波成分の両方を使用可能とするために用いられる。
【００５６】
学習モデル統合部(５００)と、学習モデル生成部(６００)と、特徴パラメータ抽出部(６１０)を介して, セグメントに関する情報を平均し、１個の代表フレームとして特徴ベクトル（特徴パラメータ）を出力する（Ｓ５）。
【００５７】
特徴パラメータは無次元の概念であり、特徴ベクトルは次元のある概念であって、特徴パラメータが特徴ベクトルより上位概念である。
【００５８】
しかし、ここで、特徴ベクトルと特徴パラメータは類似の概念で理解され得る。
【００５９】
このような特徴ベクトル(特徴パラメータ)作業を、本発明では騒音ビックデータの前処理（Ｐｒｅ‐ｃｏｎｄｉｔｉｏｎｉｎｇ）という。
【００６０】
一方、出力された特徴ベクトルは、人工知能学習器(７００)の人工知能学習で入力値として用いることができる。
【００６１】
人工知能学習器(７００)の人工知能ロジック（７１０)は、特徴ベクトルを用いて問題騒音の発音源を最終的に識別する（Ｓ６）。
【００６２】
人工知能ロジック(７１０)は、ディープラーニング（Ｄｅｅｐ  ｌｅａｒｎｉｎｇ）または機械学習、マシンラーニングなどと類似の意味で理解され得る。
【００６３】
人工知能学習では時間の変化による特徴パラメータを用い、これにより、パワートレイン騒音の特徴である非定型性の特徴を全て把握することができるのである。
【００６４】
この際、人工知能学習には双方向ＲＮＮ（ＧＲＵ：Ｒａｔｅｄ  Ｒｅｃｕｒｒｅｎｔ  Ｕｎｉｔ）を適用することができる。
【００６５】
ＧＲＵ（Ｇａｔｅｄ  Ｒｅｃｕｒｒｅｎｔ  Ｕｎｉｔ）とは、ＲＮＮ（Ｒｅｃｕｒｒｅｎｔ  Ｎｅｕｒａｌ  Ｎｅｔｗｏｒｋ）技法の１つであって、これを用いて時間の変化による人工知能学習モデルを構築することができる。
【００６６】
一方、人工知能学習にＤＮＮ（Ｄｅｅｐ  Ｎｅｕｒａｌ  Ｎｅｔｗｏｒｋ）をさらに適用することも考慮され得る。
【００６７】
ＤＮＮ（Ｄｅｅｐ  Ｎｅｕｒａｌ  Ｎｅｔｗｏｒｋ）は、Ｍａｎｙ  ｔｏ  ｏｎｅの確率的正確度を向上するためのアルゴリズムとして用いることができる。
【００６８】
この際、ソフトマックス（ｓｏｆｔ  ｍａｘ）技法を適用することも好ましい。
【００６９】
Ｍａｎｙ  ｔｏ  ｏｎｅ診断技法とは、時間の流れに対する問題騒音の発音源を診断する技術である。
【００７０】
また、人工知能学習にアテンションメカニズムをさらに適用することも好ましい。
【００７１】
アテンションメカニズムは、過去時間データの情報消失を改善するために活用されることができる。
【００７２】
アテンションメカニズムは、時間進行軸において重要な特徴ベクトルに加重値を与える学習技法である。
【００７３】
すなわち、アテンションメカニズムは、学習データの重要部分の加重値をさらに与えることで、非定型的な騒音に対する正確な学習モデルの樹立を可能とする。
【００７４】
この際、双方向ＲＮＮ（ＧＲＵ）を複合して適用することも好ましい。
【００７５】
そして、人工知能学習にアーリーステージアンサンブルアルゴリズムをさらに適用することも可能である。
【００７６】
アーリーステージアンサンブルアルゴリズムとは、ＧＲＵの上位概念であるＲＮＮ（Ｒｅｃｕｒｒｅｎｔ  Ｎｅｕｒａｌ  Ｎｅｔｗｏｒｋ）における問題点のうち過去時間データの重要性を浮かび上がらせる加重値学習技法である。
【００７７】
すなわち、アーリーステージアンサンブル技法は、初期時間と最終時間に対する加重値を均等に分割し、情報を保持するために用いることができる。
【００７８】
図２は本発明の好ましい実施形態による類型毎の騒音データの前処理ステップを示す。
【００７９】
図３は本発明の好ましい実施形態による人工知能学習モデルに任意の騒音データを入力して診断する過程を示す。
【００８０】
図２と図３を参照すれば、騒音データ人工知能学習装置(１)は、問題騒音発音源識別のための騒音データ人工知能学習方法が実現された装置を提供することができる。
【００８１】
前記騒音データ人工知能学習装置(１)は、入力手段(３)と、騒音データ前処理器(１００−１)と、人工知能学習器(７００)と、問題騒音発音源分類器(８００)と、問題騒音判断器(９００)とを含む。
【００８２】
前記入力手段(３)は、騒音測定センサ(３−１)として車両あるいはパワートレインの騒音を直接測定したり、格納媒体(３−２)として格納された騒音データを介して提供を受けることができる。すなわち、格納媒体(３−２)は、騒音データが格納され、これを介して学習モデル生成部(６００)の人工知能学習モデルに適用させることも可能である。
【００８３】
前記騒音データ前処理器(１００−１)は、騒音データ学習部(１００)と、騒音データ入力部(１１０)と、セグメント分割部(２００)と、セグメント分析部(３００)と、平均処理部(４００)と、学習モデル統合部(５００)と、学習モデル生成部(６００)と、特徴パラメータ抽出部(６１０)とから構成される。
【００８４】
前記騒音データ人工知能学習装置(１)の動作は次の通りである。
【００８５】
先ず、騒音データ学習部(１００)によって問題類型毎の騒音データを単位時間毎に学習する。
【００８６】
入力される騒音データ学習部(１００)の騒音データは、任意の騒音である。
【００８７】
この際、単位フレームを選定し、オーバーラップの範囲を選定する。
【００８８】
車両の騒音には様々な類型があるが、非定型的に発生する車両騒音の類型は次のとおりである。
【００８９】
すなわち、時間の長さによって発生する問題騒音として、短時間で発生する問題騒音と長時間で発生する問題騒音がある。
【００９０】
また、周波数成分によって発生する問題騒音として、特定周波数成分の問題騒音が存在する。
【００９１】
本発明の類型毎の騒音データの前処理では、時間的特性と周波数成分特性が全て考慮される。
【００９２】
換言すれば、時間によって変化する騒音特性と、低い周波数成分から高い周波数成分までを全て含むように、時間軸は１個のフレーム単位で分割する。
【００９３】
１個のフレーム単位で分割する理由は、時間によって変化する騒音の特徴を正確に判断するためのことである。
【００９４】
そして、分割された１個のフレームと次の時間のフレームのオーバーラップを設定する。
【００９５】
この際、オーバーラップの比率は均一に適用される。
【００９６】
単位フレームをＮ個のセグメント（例、１個のフレームを計９個のセグメント）にセグメント分割部(２００)で分割が行われ、セグメントごとにセグメント分析部(３００)で周波数特性を分析してログメルフィルタ(Ｌｏｇ  Ｍｅｌ  Ｆｉｌｔｅｒ)を適用する。
【００９７】
ログメルフィルタを適用した結果が平均処理部(４００)の平均値として出力される。
【００９８】
これは、周波数特性が低い周波数帯域から高い周波数帯域までにおける効率向上のための後処理作業に当たる。
【００９９】
その後、各時間毎の個別データの特徴を抽出した後、学習モデル統合部(５００)の１個の学習モデルに統合させる。
【０１００】
次に、同一の故障現象が発生した時に収集された振動ビックデータを用いた、特徴ベクトル（パラメータ）に基づく学習モデル生成部(６００)の学習モデルを生成する。
【０１０１】
人工知能学習器（７００）は、抽出された 特徴パラメータ抽出部(６１０)の特徴ベクトル（パラメータ）を用いて問題騒音の発音源を識別し、問題騒音発音源分類器(８００)の分類結果を導出することができる。
【０１０２】
また、人工知能学習器（７００）は、全騒音のうち意味の高いデータを問題騒音判断器(９００)のアテンション結果として出力することができる。
【０１０３】
問題騒音判断器(９００)のアテンション結果は、ＮＶＨ（Noise, Vibration, Harshness）専門家集団が騒音の詳細分析時に用いる技法を適用するために用いることができ、近年、データ加重値が高くなり、初期データの加重値は低くなる非定型時間データの分析における欠点を補完する。
【０１０４】
図４は、本発明の好ましい実施形態による人工知能学習に用いられる時間‐周波数マップ（７１１）を示したものであり、図５は、本発明の好ましい実施形態によるエンジン回転数‐周波数マップ（７２１）に関する図である。
【０１０５】
問題騒音学習データの時間軸が一定に収集される場合には、正確度の向上のために、Ｅｎｓｅｍｂｌｅ  ｍｏｄｅｌ  ｏｆ  ｊｏｉｎｔｌｙ  ｔｒａｉｎｅｄ  ＲＮＮｓアルゴリズムを用いることができる。
【０１０６】
Ｅｎｓｅｍｂｌｅ  ｍｏｄｅｌ  ｏｆ  ｊｏｉｎｔｌｙ  ｔｒａｉｎｅｄ  ＲＮＮｓアルゴリズムとは、時間‐周波数マップ（７１１）とエンジン回転数‐周波数マップ（７２１）の両方を用いるアルゴリズムである。
【０１０７】
Ｅｎｓｅｍｂｌｅ  ｍｏｄｅｌ  ｏｆ  ｊｏｉｎｔｌｙ  ｔｒａｉｎｅｄ  ＲＮＮｓアルゴリズムは、換言してＪｏｉｎｔｅｄ  ｔｉｍｅ  ａｎｄ  ＲＰＭ  ＭＡＰ  ａｎａｌｙｓｉｓ技法ともいう。
【０１０８】
この際、問題騒音学習データの時間軸が一定に収集される場合とは、同一の時間を基準としてシンクロされる場合を意味する。
【０１０９】
例えば、全ての学習データと診断のための格納データの時間軸が１０秒としたときに、このように同一の時間測定データである場合に、時間軸に整形的な騒音データを収集するのである。
【０１１０】
本発明のさらに他の好ましい実施形態として、問題騒音の発音源を識別するための騒音データ人工知能学習方法が実現された装置を提供することができる。
【０１１１】
この際、入力手段で車両またはパワートレイン騒音を直接測定してもよく、格納されている騒音データを格納媒体を用いて提供してもよい。
【０１１２】
すなわち、格納媒体には騒音データが格納されており、これを用いて人工知能学習モデルに適用することも可能である。
【０１１３】
一方、本発明の問題騒音発音源識別のための騒音データ人工知能学習方法が実現された装置の好ましい他の実施例として、任意の騒音とエンジンＲＰＭ信号を測定可能なポータブル装備に適用させることができる。
【０１１４】
これにより測定された任意の騒音を、ＰＣまたは分析装備に基づくシステムを適用して分析可能である。
【０１１５】
本発明は、騒音データを用いて非常に短時間に正確な問題騒音の発音源を診断する技術であって、約５秒以内に問題騒音発音源分類器(８００)の診断結果が出力可能となる。
【符号の説明】
【０１１６】
Ｓ１  騒音入力
Ｓ２  単位フレーム選定
Ｓ３  Ｎ個のセグメントに分割
Ｓ４  ログメルフィルタ適用、周波数成分抽出
Ｓ５  特徴ベクトル出力
Ｓ６  人工知能を用いた問題騒音発音源の識別
【図１】
2020095258.tif 000003
【図２】
2020095258.tif 000004
【図３】
2020095258.tif 000005
【図４】
2020095258.tif 000006
【図５】
2020095258.tif 000007